(57)【要約】【課題】同定対象個体が登録個体か否かを判定する判定方法及び判定システムを提供する。【解決手段】非生体標識に固有のスペックル画像を画像センサーによって検出するため、コヒーレント光を散乱するように検出面を設けた前記非生体標識を登録個体に付与し、前記非生体標識に関するスペックル画像に対応する参照スペックル画像情報をデータベースに格納するステップと、前記同定対象個体に関するスペックル画像情報を取得するステップと、前記同定対象個体の前記スペックル画像情報が前記データベースに格納された前記参照スペックル画像情報とマッチするか否かを判定するステップと、当該ステップにおいてマッチすると判定されたとき、前記同定対象個体を前記登録個体と判定し、それ以外は前記同定対象個体を前記登録個体ではないと判定するステップとを有することを特徴とする。【選択図】図１
2011233136.tif 000002
【特許請求の範囲】
【請求項１】
同定対象個体が登録個体か否かを判定する判定方法であって、
（ａ）非生体標識がコヒーレント光を散乱して生じる、前記非生体標識に固有のスペックル画像を画像センサーによって検出するため、前記コヒーレント光を散乱するように検出面を設けた前記非生体標識を登録個体に付与し、前記非生体標識に関するスペックル画像に対応する参照スペックル画像情報をデータベースに格納するステップと、
（ｂ）前記同定対象個体に関するスペックル画像情報を取得するステップと、
（ｃ）前記同定対象個体の前記スペックル画像情報が前記データベースに格納された前記参照スペックル画像情報とマッチするか否かを判定するステップと、
（ｄ）前記ステップ（ｃ）においてマッチすると判定されたとき、前記同定対象個体を前記登録個体と判定し、その他の場合は前記同定対象個体を前記登録個体ではないと判定するステップとを有することを特徴とする判定方法。
【請求項２】
前記ステップ（ａ）において、前記データベースに格納された前記参照スペックル画像情報は、前記非生体標識に関するスペックル画像の少なくとも一つの特徴を表し、前記ステップ（ｂ）において、前記スペックル画像情報は前記同定対象個体のスペックル画像の少なくとも一つの特徴を表すことを特徴とする請求項１記載の判定方法。
【請求項３】
前記判定方法は更に、ステップ（ｄ）において判定された結果を通知するステップを有することを特徴とする請求項１記載の判定方法。
【請求項４】
前記判定方法は更に、ステップ（ｄ）においてなされた判定結果に応じて動作を実行するステップを有することを特徴とする請求項１記載の判定方法。
【請求項５】
前記判定方法において、前記非生体標識の前記検出面はダイヤモンドの特性を有する薄膜で被覆されていることを特徴とする請求項１記載の判定方法。
【請求項６】
前記ステップ（ａ）において、前記非生体標識は基板の一面に設けられることを特徴とする請求項１記載の判定方法。
【請求項７】
前記基板はカード本体であり、前記基板と前記非生体標識の組み合わせはＩＤカード、銀行カード若しくはクレジットカードのいずれか一つとして用いられることを特徴とする請求項６記載の判定方法。
【請求項８】
同定対象物品が登録物品か否かを判定する判定方法であって、
（ａ）前記登録物品に固有のスペックル画像を画像センサーによって検出するため、コヒーレント光を散乱するように前記登録物品に検出面を設け、前記スペックル画像に対応する前記登録物品に関する参照スペックル画像情報をデータベースに格納するステップと、
（ｂ）前記同定対象物品に関するスペックル画像情報を取得するステップと、
（ｃ）前記同定対象物品の前記スペックル画像情報が前記データベースに格納された前記登録物品に関する前記参照スペックル画像情報とマッチするか否かを判定するステップと、
（ｄ）前記ステップ（ｃ）においてマッチすると判定されたとき、前記同定対象物品を前記登録物品と判定し、その他の場合は前記同定対象物品を前記登録物品ではないと判定するステップとを有することを特徴とする判定方法。
【請求項９】
同定対象個体が登録個体か否かを判定する判定システムであって、
前記登録個体に付与される非生体標識と、
前記非生体標識に関する、前記非生体標識に固有のスペックル画像に対応する参照スペックル画像情報を格納するデータベースと、
コヒーレント光を検出面に向けて放射する光放射モジュールと、スペックル画像を取得するために前記検出面で散乱された光を検出可能な画像センサーとを有するスペックル画像取得装置と、
前記スペックル画像取得装置と接続し、前記データベースにアクセス可能であり、同定モードにおいて動作可能な処理装置であって、前記スペックル画像取得装置を制御して前記同定対象個体に関するスペックル画像情報を取得し、前記同定対象個体のスペックル画像情報が前記データベースに格納された参照スペックル画像情報とマッチするか判定し、マッチすると判定された場合に前記同定対象個体を登録個体と判定し、その他の場合は非登録個体と判定する処理装置を有することを特徴とする判定システム。
【請求項１０】
前記スペックル画像取得装置と前記処理装置との間の接続は、有線ケーブル、ネットワーク、無線接続のいずれか一つにより接続されることを特徴とする請求項９記載の判定システム。
【請求項１１】
前記処理装置は更に、登録モードでの動作が可能であり、前記処理装置は前記スペックル画像取得装置による前記登録個体の前記非生体標識の検出面のスペックル画像の取得を制御し、これにより前記スペックル画像取得装置により取得された前記スペックル画像に対応する前記参照スペックル画像情報を前記データベースに格納することを特徴とする請求項９記載の判定システム。
【請求項１２】
前記非生体標識の前記検出面はダイヤモンドの特性を有する薄膜で被覆されていることを特徴とする請求項１１記載の判定システム。
【請求項１３】
前記処理装置は更に、前記同定対象個体に関する前記スペックル画像の少なくとも一つの特徴を抽出可能であり、前記データベースに格納された前記参照スペックル画像情報は前記非生体標識に関するスペックル画像の少なくとも一つの特徴を表すことを特徴とする請求項９記載の判定システム。
【請求項１４】
前記判定システムは更に、前記処理装置に接続される通知ユニットを有し、当該通知ユニットは前記同定対象個体が前記登録個体であるか否かに関する前記処理装置の判定結果に応じて、通知を行うことを特徴とする請求項９記載の判定システム。
【請求項１５】
前記判定システムは更に、前記処理装置に接続される認証コントロールユニットを有し、当該認証コントロールユニットは前記同定対象個体が前記登録個体であるか否かに関する前記処理装置の判定結果に応じて、動作を実行することを特徴とする請求項９記載の判定システム。
【請求項１６】
前記非生体標識は、基板の一面に設けられることを特徴とする請求項９記載の判定システム。
【請求項１７】
前記基板はカード本体であり、前記基板と前記非生体標識の組み合わせはＩＤカード、銀行カード若しくはクレジットカードのいずれか一つとして用いられることを特徴とする請求項１６記載の判定システム。
【発明の詳細な説明】
【技術分野】
【０００１】
本発明は認証方法や認証システムに係り、特に、同定対象個体が登録個体か否かを判定する判定方法及び判定システムに関する。
【背景技術】
【０００２】
アクセス管理システムやセキュリティシステム、銀行システムのほとんどで、ユーザーの身元を確認して、この確認が出来た後にアクセスを認めるために、磁気カードやＩＣカード（接触式ＩＣカードや非接触式ＩＣカード）、暗証番号の入力といった方法を採用している。しかし、この中でも非接触式ＩＣカードは比較的高価である。また、偽造を防止するために、壊れるようなビニルラベルやレーザーセキュリティラベル、ＲＦＩＤタグを多くの製品が備えている。しかし、これらのラベルやタグにおいても偽造の可能性が残っている。
【先行技術文献】
【特許文献】
【０００３】
【特許文献１】特許第４３３５２１８号公報
【特許文献２】特開２００９−１３９１３４号公報
【特許文献３】特開２０１０−１１７２５３号公報
【発明の概要】
【発明が解決しようとする課題】
【０００４】
従来の判定方法や判定システムは、これに用いるカード等を偽造することによりセキュリティが破られる可能性があるという問題があった。
本発明はこのような問題点に鑑みてなされたものであり、この問題を解決することができる判定方法及び判定システムを提供することを目的とする。
【課題を解決するための手段】
【０００５】
本発明は、同定対象個体が登録個体か否かを判定する判定方法であって、（ａ）非生体標識がコヒーレント光を散乱して生じる、前記非生体標識に固有のスペックル画像を画像センサーによって検出するため、前記コヒーレント光を散乱するように検出面を設けた前記非生体標識を登録個体に付与し、前記非生体標識に関するスペックル画像に対応する参照スペックル画像情報をデータベースに格納するステップと、（ｂ）前記同定対象個体に関するスペックル画像情報を取得するステップと、（ｃ）前記同定対象個体の前記スペックル画像情報が前記データベースに格納された前記参照スペックル画像情報とマッチするか否かを判定するステップと、（ｄ）前記ステップ（ｃ）においてマッチすると判定されたとき、前記同定対象個体を前記登録個体と判定し、その他の場合は前記同定対象個体を前記登録個体ではないと判定するステップとを有することを特徴とする。
【０００６】
また、本発明は、同定対象物品が登録物品か否かを判定する判定方法であって、（ａ）前記登録物品に固有のスペックル画像を画像センサーによって検出するため、コヒーレント光を散乱するように前記登録物品に検出面を設け、前記スペックル画像に対応する前記登録物品に関する参照スペックル画像情報をデータベースに格納するステップと、（ｂ）前記同定対象物品に関するスペックル画像情報を取得するステップと、（ｃ）前記同定対象物品の前記スペックル画像情報が前記データベースに格納された前記登録物品に関する前記参照スペックル画像情報とマッチするか否かを判定するステップと、（ｄ）前記ステップ（ｃ）においてマッチすると判定されたとき、前記同定対象物品を前記登録物品と判定し、その他の場合は前記同定対象物品を前記登録物品ではないと判定するステップとを有することを特徴とする。
【０００７】
また、本発明は、同定対象個体が登録個体か否かを判定する判定システムであって、前記登録個体に付与される非生体標識と、前記非生体標識に関する、前記非生体標識に固有のスペックル画像に対応する参照スペックル画像情報を格納するデータベースと、コヒーレント光を検出面に向けて放射する光放射モジュールと、スペックル画像を取得するために前記検出面で散乱された光を検出可能な画像センサーとを有するスペックル画像取得装置と、前記スペックル画像取得装置と接続し、前記データベースにアクセス可能であり、同定モードにおいて動作可能な処理装置であって、前記スペックル画像取得装置を制御して前記同定対象個体に関するスペックル画像情報を取得し、前記同定対象個体のスペックル画像情報が前記データベースに格納された参照スペックル画像情報とマッチするか判定し、マッチすると判定された場合に前記同定対象個体を登録個体と判定し、その他の場合は非登録個体と判定する処理装置を有することを特徴とする。
【発明の効果】
【０００８】
本発明の同定対象個体が登録個体か否かを判定する判定方法及び判定システムによると、広く応用可能で、高いセキュリティレベルを有する判定方法及び判定システムを提供することができる。
【図面の簡単な説明】
【０００９】
【図１】本発明にかかる判定システムの一実施形態を示す概略図である。
【図２】本発明の第一の実施形態における標識入力装置を示す概略図である。
【図３】銀行カードとして用いられるよう、基板に設けられた非生体標識の例を示す概略図である。
【図４】傷や汚れから非生体標識の検出面を保護するための防護部材の例を示す概略図である。
【図５】偽造防止ＩＤタグとして用いられるよう、装置に設けられた非生体標識の例を示す概略図である。
【図６】本発明の第一の実施形態における判定システムの筐体を示す概略図である。
【図７】本発明にかかる判定方法を示すフローチャート図である。
【図８】本発明にかかる判定方法を示すフローチャート図である。
【発明を実施するための形態】
【００１０】
以下、各図面を参照して本発明の実施形態について説明する。図１に本発明の第一の実施形態に係る、同定対象個体（ｔｏ−ｂｅ−ｉｄｅｎｔｉｆｉｅｄ  ｉｎｄｉｖｉｄｕａｌ）が登録個体か否かを判定する判定システムを示す。本実施形態における判定システムは、非生体標識１、標識入力装置２、スペックル画像取得装置３、処理装置４、データベース５、そして通知ユニット６を有している。非生体標識１は、各登録個体に付与されたものである。後述するように、この登録個体は人や物を指している。本システムは二つの動作モードでの動作が可能であり、一つは非生体標識１に関する非生体標識１に固有のスペックル画像に対応する参照スペックル画像情報を取得してデータベース５に格納する登録モードであり、もう一つは  同定対象個体に関するスペックル画像情報を取得し、データベース５に格納された参照スペックル画像情報と比較して同定対象個体が登録個体か否かを判定する同定モードである。
【００１１】
図２を参照して、標識入力装置２について以下の通り説明する。標識入力装置２は標識位置規制ユニット２１と図示しない標識検出装置を有している。標識位置規制ユニット２１は登録対象１（すなわち登録モードにおける登録個体に付与された非生体標識１であり、以下同じ符号１を用いる）の位置を定め、もしくは同定対象個体（すなわち同定モードにおいて同定される同定対象個体に付与された標識）に係わる同定対象７をスペックル画像取得装置３に対して特定の位置に定めるためのものである。標識検出装置は  標識入力装置２の登録対象１又は同定対象７が標識入力装置２の特定の位置にあることを検知することができ、処理装置４に対してその存在を通知するためのトリガー信号を送出する。本実施形態においては、標識位置規制ユニット２１は特定の位置に導くスロット形状をしている。なお、この標識位置規制ユニット２１はまた、登録対象１や同定対象７がその表面を傷つけられることなく、スペックル画像取得装置３に対して特定の場所に導かれて固定されるようであれば、クランプ部材を用いてもかまわない。
【００１２】
スペックル画像取得装置３は、光放射モジュール３１、第一のレンズ３２、光制限モジュール３３及び画像センサー３４を備えている。この光放射モジュール３１は高コヒーレント光を登録対象１の検出面１１や同定対象７の検出面７１に対して第一のレンズ３２を通して放射することが可能である。画像センサー３４は、検出面１１や７１で散乱した散乱光のうちスペックル画像が得られるよう光制限モジュール３３を介して伝播してきたものを検出することができる。光制限モジュール３３は第二のレンズ３３１とフロント・アパーチャ３３２、リア・アパーチャ３３３を備え、フロント・アパーチャ３３２、リア・アパーチャ３３３はそれぞれ入射光の光路方向に設定された第二のレンズ３３１の前と後ろに近接して配置される。リア・アパーチャ３３３は検出面１１や７１で散乱された光を回折し、干渉効果を生じさせるためのものである。スペックル画像取得装置３の更なる詳細については、特許第４３３５２１８号公報（米国特許出願公開公報２００７／０１３９６５９号）に開示されている。しかしながら、スペックル画像取得装置の実施についてはこの特許第４３３５２１８号公報（米国特許出願公開公報２００７／０１３９６５９号）に開示されたものに限られるわけではないことに留意すべきである。
【００１３】
処理装置４はスペックル画像取得装置３に接続され、データベース５にアクセス可能であり、登録モード及び同定モードにおいて動作可能である。
登録モードにおいて、処理装置４はスペックル画像取得装置３が標的検出装置（図示せず）から標識入力装置２の特定の位置に非生体標識１が存在することを知らせるトリガー信号を受信して、登録された個体に関する非生体標識１の検出面１１のスペックル画像を取得し、このスペックル画像取得装置３によって取得されたスペックル画像に対応する参照スペックル画像情報をデータベース５に格納するように制御する。なお、登録の際に登録個体に関する他のデータをデータベース５に入力するようにしてもよい。データの例として、登録個体に付与されたＩＤ番号、登録個体が人である場合には登録個体の写真、登録個体が物である場合には管理シリアル番号、等が挙げられる。このようにして、スペックル画像取得ステップ、格納ステップ、データ入力ステップを繰り返すことにより、複数の個体をシステムに登録することができる。
【００１４】
データベース５に参照スペックル画像情報を少なくとも一つ登録した後で、処理装置４は同定モードで動作することが可能になる。説明を単純なものにするため、ここでは一つの個体のみがシステムに登録され、データベース５には参照スペックル画像情報が一つだけ登録されているものとする。同定モードにおいて、処理装置４はスペックル画像取得装置３が標識入力装置２の特定の位置に非生体標識１が存在することを知らせるトリガー信号を受信して、同定対象個体に関するスペックル画像情報を取得するように制御し、この同定対象個体に関するスペックル画像情報がデータベース５内に格納されている参照スペックル画像情報とマッチするかどうか判定し、更にマッチすると判定した場合は同定対象個体を登録個体と判定し、それ以外の場合は非登録個体と判定する。
【００１５】
本実施形態において、処理装置４がマッチするか否かを判定する方法として、相互相関（ｃｒｏｓｓ  ｃｏｒｒｅｌａｔｉｏｎ）や正規化相互相関（ｎｏｒｍａｌｉｚｅｄ  ｃｒｏｓｓ  ｃｏｒｒｅｌａｔｉｏｎ）といった相関によるテンプレートマッチングの手法を使用する。特に、処理装置４はまず同定対象個体のスペックル画像情報とデータベース５に格納された参照スペックル画像情報との間の相関係数が所定のしきい値を超えているか否かを判別し、相関係数が所定のしきい値を超えている場合はマッチしていると判別し、それ以外の場合はマッチしていないと判別する。
【００１６】
一つの実施形態として、データベース５に格納された参照スペックル画像情報との画像マッチングを実行するために、処理装置４はさらに同定対象個体に関するスペックル画像の特徴を少なくとも一つ抽出することが可能である。この特徴は縁の部分や角の部分、ＳＩＦＴ（ｓｃａｌｅ  ｉｎｖａｒｉａｎｔ  ｆｅａｔｕｒｅ  ｔｒａｎｓｆｏｒｍ）により抽出されたスペックル画像の特徴点でもよい。データベース５に格納された参照スペックル画像情報は非生体標識１に関するスペックル画像を表したものでもよいし、その代わりに非生体標識１に関するスペックル画像の特徴を少なくとも一つ表したものでもよい。特徴のマッチング方法は、特徴点の間の類似度チェック（例えば、ユークリッド距離を利用したものなど）によるものでもよいし、上述した相関係数を使用したものでもよい。
【００１７】
通知ユニット６は処理装置４に接続され、同定対象個体が登録個体であるか否かについて処理装置４が判別した結果に応じて通知を行うためのものである。通知ユニット６は結果を視覚的に表示するディスプレイ・スクリーン、及び／又は結果を音声として出力するスピーカー、及び／又は結果を光の点滅によって通知する光表示装置を有するようにしてもよい。
【００１８】
また、当該システムは更に、同定対象個体が登録個体であるか否かについて処理装置４が判別した結果に応じて所定の動作を実行する、処理装置４に接続された認証制御ユニット（図示せず）を有するようにしてもよい。このような認証制御ユニットを有するシステムの例として、ドアセキュリティシステムがあり、同定対象個体が登録個体であると処理装置４が判別したとき、認証制御ユニットが自動ドアの錠を開け、それ以外のときは自動ドアを施錠したままにする。システムがこのような認証制御ユニットを含んでいるときは、通知ユニット６を設けても設けなくてもよいことに留意すべきである。
【００１９】
ここで、複数の登録個体にそれぞれ割り当てられる全ての非生体標識１が、仮に同一の材料を用いて、同一の装置により、同一の工程で製造されたとしても、物理特性における自然の限界から、これらの非生体標識１の検出面１１から得られるスペックル画像に同一のものは存在しないことに留意すべきである。言い換えると、非生体標識１はそれぞれが唯一無二のものであって、複製も不可能である。このような非生体標識１に関するスペックル画像が変化しないよう、非生体標識１の検出面１１を引っかき傷などから保護するために、非生体標識１は擦り傷耐性を有する素材によって製造されるか、検出面１１をダイヤモンドの特性を有する薄膜で被覆することが好ましい。更に、検出面１１は光を散乱する必要があるため、検出面１１は非透明かつ非鏡面状であることが好ましい。しかしながら、半透明の検出面１１も本発明の他の実施形態として使用可能であることに留意すべきである。
【００２０】
検出面１１の唯一性のため、非生体標識１をセキュリティ目的や同定目的に使用することができる。特に、図３に示すように、非生体標識１をカード本体９の基板の片面に設け、ＩＤカード、銀行カード若しくはクレジットカードのいずれか一つとしてこのカードを使用することができる。また、図４に示すように、このシステムは更に保護部材１０を備え、非生体標識１の検出面１１を引っかき傷や汚れから保護することができる。非生体標識１は保護部材１０に対して移動可能に設けられ、使用の際は保護部材１０から露出するようにし、保管の際は保護部材１０により隠されるようになっている。
【００２１】
また、図５に示すように、登録個体が時計１００やその他の高価なものといった物品であるような場合、基板となるものは紙シートや粘着性ラベル９１であってもよく、非生体標識１は物品に取り付けられる物品の偽造防止用ＩＤタグであっても構わない。更に、高価なものは通常注意深く、また保護されながら保存されるため、本発明の別の実施形態として、物品の一部それ自体が、その表面を検出面１１とする非生体標識１の役割を果たすようにすることができる。
【００２２】
図６に示すように、本システムは更に、標識入力装置２、スペックル画像取得装置３、処理装置４、データベース５を収納するための筐体８を備えている。
本発明は上述したような（例えば自動ドアを用いたセキュリティ・エントランス・システム）スタンドアローン型の応用のほかに、以下に述べるような回路接続による応用も可能である。
【００２３】
本発明が特定の建物の複数の自動ドアを用いたセキュリティ・システムに応用された場合、本発明のシステムは処理装置４、データベース５、認証制御ユニット（図示せず）をそれぞれ一つ、そして標識入力装置２とスペックル画像取得装置３を複数セット含み、この標識入力装置２とスペックル画像取得装置３のセットはそれぞれ対応する自動ドア付近に配置され、処理装置４と有線ケーブル、無線、ネットワークなどによって接続されている。
【００２４】
ある人物（すなわち、同定対象個体）がこの建物に特定の自動ドアを通って入りたいと考えて、同定対象７を対応する標識入力装置２に置いたとき、トリガー信号が対応するスペックル画像取得装置３に送信され、このスペックル画像取得装置３がこの同定対象７に関するスペックル画像情報を取得することができるようにする。スペックル画像情報は引き続き処理装置４に対して送信される。この処理装置４は当該自動ドアから離れた場所にあってもよい。この処理装置４はデータベース５に格納された参照スペックル画像情報を参照して同定対象７が登録個体か否かを判定する。この人物がシステムに登録済みと判定された場合、認証制御ユニットが当該自動ドアの錠を開けて登録人物の通行を許可し、その他の場合は当該人物の建物への進入を拒否するため当該自動ドアを施錠したままにする。なお、この通行許可／拒否の判定結果を通知するようにしてもよい。また、登録人物に関する氏名やＩＤ番号、登録人物の写真等といった他の情報をデータベース５から抽出して、この通知に含めるようにしても良い。
【００２５】
更に、本発明が銀行システムに応用された場合、一つのシステムを特定の支店内に配置して登録実行に特化し、もう一つのシステム（若しくは複数のシステム）をＡＴＭ装置の中に組み込んで同定実行に特化することもできる。この場合、登録を行うシステムだけがデータベース５を備え、同定を行うシステムはこのデータベース５に有線ケーブルや無線、ネットワークを介してアクセスできるようになっている。また、システム設計に応じて、同定対象個体が登録個体であるか否かの判定を同定実行用システムの処理装置４で行わせても良いし、登録実行用システムの処理装置４で行わせても良い。この種の応用例において、登録は第一の場所で行われ、同定は第一の場所とは異なった第二の場所で行われることになる。
図７を参照して、本発明の第一の実施形態における、同定対象個体が登録個体であるか否かを判定する方法について以下の通り説明する。
【００２６】
ステップＳ１において、非生体標識１がコヒーレント光を散乱して生じる、非生体標識１に固有のスペックル画像を画像センサー３４によって検出するため、コヒーレント光を散乱するように非生体標識１に検出面１１を設け、非生体標識１を登録個体に付与するとともに、非生体標識１に関するスペックル画像に対応する参照スペックル画像情報をデータベース５に格納する。
ステップＳ２において、同定対象個体に関するスペックル画像情報が取得される。
ステップＳ３において、同定対象個体のスペックル画像情報がデータベース５に格納された参照スペックル画像情報とマッチするか否かが判定される。
ステップＳ４において、ステップＳ３でマッチすると判定されたとき、前記同定対象個体を前記登録個体と判定し、その他の場合は前記同定対象個体を前記登録個体ではないと判定する。
ステップＳ５において、ステップＳ４で判定された結果を通知する。これに代えて、若しくはこれに加えて、ステップＳ４での判定結果に対応する動作を本ステップＳ５で行う。
【００２７】
本発明の一実施形態として、ステップＳ１において、データベース５に格納された前記参照スペックル画像情報は、非生体標識１に関するスペックル画像の少なくとも一つの特徴を表し、前記ステップＳ２において、スペックル画像情報は同定対象個体のスペックル画像の少なくとも一つの特徴を表すようにすることもできる。
【００２８】
図８を参照して、本発明の第二の実施形態における、同定対象物品が登録物品であるか否かを判定する方法について以下の通り説明する。
ステップＳ１’において、登録物品に固有のスペックル画像を画像センサー３４によって検出するため、コヒーレント光を散乱するように前記登録物品に検出面１１を設け、前記スペックル画像に対応する前記登録物品に関する参照スペックル画像情報をデータベース５に格納される。
ステップＳ２’において、同定対象物品に関するスペックル画像情報が取得される。
ステップＳ３’において、同定対象物品のスペックル画像情報がデータベース５に格納された登録物品に関する参照スペックル画像情報とマッチするか否かが判定される。
ステップＳ４’において、ステップＳ３’でマッチすると判定されたとき、同定対象物品は登録物品と判定され、その他の場合、同定対象物品は登録物品ではないと判定される。
この第二の実施形態は在庫登録システムとして実現することも可能である。しかしながら、このシステムの装置や設備は第一の実施形態で開示されたものと同様である。
【００２９】
以上まとめると、本発明は以下のような効果や特徴を有する。
１．物理特性における自然の限界から、仮に同一の材料を用いて、同一の装置により、同一の工程で製造されたとしても、二つのものが同一のスペックル画像を生じさせるということは無い。このため、各非生体標識１の検出面１１は唯一無二のものであって、複製も不可能である。検出面１１の唯一性のため、非生体標識１をセキュリティ管理や同定目的に使用することができる。
２．非生体標識１は、そのスペックル画像が変化しないように、擦り傷耐性を有する素材によって製造され、検出面１１をダイヤモンドの特性を有する薄膜で被覆して、引っかき傷や汚れから保護することが好ましい
３．非生体標識１が物に付着される場合、物の偽造を防ぐことができる、唯一の偽造防止ＩＤタグとして用いられることができる。
本発明について、最も実用的かつ好ましい実施形態により以上の通り説明したが、本発明はこれらの実施形態に限られるものではなく、すべての修正や同様の形態を包含するように、最も広い解釈の精神と範囲内の様々な形態を含んでいると理解すべきものである。
【符号の説明】
【００３０】
１    非生体標識（登録対象）
１０  保護部材
１００  時計
１１  検出面
２  標識入力装置
２１  標識位置規制ユニット
３  スペックル画像取得装置
３１  光放射モジュール
３２  第一のレンズ
３３  光制限モジュール
３３１  第二のレンズ
３３２  フロント・アパーチャー
３３３  リア・アパーチャー
３４  画像センサー
４  処理装置
５  データベース
６  通知ユニット
７  同定対象
７１  検出面
８  筐体
９  カード本体
９１  ラベル
【図１】
2011233136.tif 000003
【図２】
2011233136.tif 000004
【図３】
2011233136.tif 000005
【図４】
2011233136.tif 000006
【図５】
2011233136.tif 000007
【図６】
2011233136.tif 000008
【図７】
2011233136.tif 000009
【図８】
2011233136.tif 000010